(57)【要約】【課題】部品の共通化を図ることのできる換気装置を提供する。【解決手段】室内の空気を吸い込むとともにこの吸い込んだ空気を暖めて室内へ戻す循環ユニット２０と、前記室内の空気を吸い込んで外へ排気する排気ユニット１１とを備え、この排気ユニット１１の排気ユニットケース１２内に循環ユニット２０を着脱可能に装着した。【選択図】　図３
2004125373.tif 000002
【特許請求の範囲】
【請求項１】
室内の空気を吸い込むとともにこの吸い込んだ空気を暖めて室内へ戻す循環ユニットと、前記室内の空気を吸い込んで外へ排気する換気ユニットとを備え、この換気ユニットの本体ケースに前記循環ユニットを着脱可能に、または前記循環ユニットの本体ケースに換気ユニットを着脱可能に装着することを特徴とする換気装置。
【請求項２】
前記換気ユニットの本体ケースに循環ユニットを装着した際、または前記循環ユニットの本体ケースに換気ユニットを装着した際、循環ユニットの送風手段と、換気ユニットの送風手段とを互いに位置をずらせて本体ケースの高さを低くしたことを特徴とする請求項１に記載の換気装置。
【請求項３】
室内の空気を吸い込むための第１吸気口と、この第１吸気口から吸い込んだ空気を前記室内へ戻すための吹出口と、第１吸気口から空気を吸い込むとともにこの吸い込んだ空気を前記吹出口へ送風する第１送風手段と、その吹出口から吹き出される空気を加熱する加熱手段とを有する循環ユニットと、
前記室内の空気を吸い込むための第２吸気口と、この第２吸気口から吸い込んだ空気を外へ排気するための排気口と、第２吸気口から空気を吸い込むとともにこの吸い込んだ空気を前記排気口へ送風する第２送風手段とを有する換気ユニットとを備え、
この換気ユニットと前記循環ユニットとを互いに着脱可能に設けたことを特徴とする換気装置。
【請求項４】
室内の空気を吸い込むための第１吸気口と、この第１吸気口から吸い込んだ空気を前記室内へ戻すための吹出口と、第１吸気口から空気を吸い込むとともにこの吸い込んだ空気を前記吹出口へ送風する第１送風手段と、その吹出口から吹き出される空気を加熱する加熱手段とを有する循環ユニットと、
前記室内の空気を吸い込むための第２吸気口と、
この第２吸気口から吸い込んだ空気を外へ排気するための排気口と、第２吸気口から空気を吸い込むとともにこの吸い込んだ空気を前記排気口へ送風する第２送風手段とを有する換気ユニットとを備えた換気装置であって、
前記換気ユニットと循環ユニットとを互いに着脱可能に設け、
前記第２吸気口を前記換気ユニットまたは循環ユニットに着脱可能に設けたことを特徴とする換気装置。
【請求項５】
前記吹出口が下方に向けられるとともに長孔状に形成され、
前記第１送風手段から送風される空気を前記吹出口へ案内する案内風路にほぼ水平方向に延びる水平風路部を設け、この水平風路部と直交するように前記加熱手段を設けたことを特徴とする請求項３または請求項４に記載の換気装置。
【請求項６】
前記換気ユニットに循環ユニットがまたは循環ユニットに換気ユニットが吊り下げ可能なフック部を設けたことを特徴とする請求項１ないし請求項５のいずれか１つに記載の換気装置。
【請求項７】
前記換気ユニットは、複数の室内の空気を吸い込んで排気を行う多室換気用であることを特徴とする請求項１ないし請求項６のいずれか１つに記載の換気装置。
【発明の詳細な説明】
【０００１】
【発明の属する技術分野】
この発明は、例えば浴室などに設置される循環ユニットと換気ユニットとを備えた換気装置に関する。
【０００２】
【従来の技術】
従来から、図２９ないし図３１に示すように、浴室の空気を吸い込んで外へ排気したり、浴室の空気を吸い込むとともにこの吸い込んだ空気を暖めて浴室へ戻したりする換気装置１が知られている（特許文献１参照）。
【０００３】
かかる換気装置は、本体ケース２内に換気用のシロッコファン３と循環用のシロッコファン４とヒータ５とを備えている。
【０００４】
この換気装置は、シロッコファン３の回転により浴室の空気を吸い込んで本体ケース２の排気口６から図示しないダクトを介して外へ排気するようになっている。また、シロッコファン３の回転により浴室の空気を吸い込むとともに、この吸い込んだ空気をヒータ５で暖めて浴室へ戻すようになっている。
【０００５】
【特許文献１】
特開平１０−１４１７０２号公報（図１ないし図３参照）
【０００６】
【発明が解決しようとする課題】
ところで、このような換気装置にあっては、各シロッコファン３，４の容量に対応して換気風路７や循環風路８を本体ケース２内に形成しているが、各型毎にシロッコファン３，４の容量が異なる場合、各型毎に各風路７，８や本体ケース２の大きさや形状を決定している。このため、所定の型の本体ケース２内に他の型のシロッコファンを合わせて取り付けることができず、部品の共通化を図ることができなかった。
【０００７】
この発明の目的は、部品の共通化を図ることのできる換気装置を提供することにある。
【０００８】
【課題を解決するための手段】
上記目的を達成するため、請求項１の発明は、室内の空気を吸い込むとともにこの吸い込んだ空気を暖めて室内へ戻す循環ユニットと、前記室内の空気を吸い込んで外へ排気する換気ユニットとを備え、この換気ユニットの本体ケースに前記循環ユニットを着脱可能に、または前記循環ユニットの本体ケースに換気ユニットを着脱可能に装着することを特徴とする。
【０００９】
請求項２の発明は、前記換気ユニットの本体ケースに循環ユニットを装着した際、または前記循環ユニットの本体ケースに換気ユニットを装着した際、循環ユニットの送風手段と、換気ユニットの送風手段とを互いに位置をずらせて本体ケースの高さを低くしたことを特徴とする。
【００１０】
請求項３の発明は、室内の空気を吸い込むための第１吸気口と、この第１吸気口から吸い込んだ空気を前記室内へ戻すための吹出口と、第１吸気口から空気を吸い込むとともにこの吸い込んだ空気を前記吹出口へ送風する第１送風手段と、その吹出口から吹き出される空気を加熱する加熱手段とを有する循環ユニットと、
前記室内の空気を吸い込むための第２吸気口と、この第２吸気口から吸い込んだ空気を外へ排気するための排気口と、第２吸気口から空気を吸い込むとともにこの吸い込んだ空気を前記排気口へ送風する第２送風手段とを有する換気ユニットとを備え、
この換気ユニットと前記循環ユニットとを互いに着脱可能に設けたことを特徴とする。
【００１１】
請求項４の発明は、室内の空気を吸い込むための第１吸気口と、この第１吸気口から吸い込んだ空気を前記室内へ戻すための吹出口と、第１吸気口から空気を吸い込むとともにこの吸い込んだ空気を前記吹出口へ送風する第１送風手段と、その吹出口から吹き出される空気を加熱する加熱手段とを有する循環ユニットと、
前記室内の空気を吸い込むための第２吸気口と、
この第２吸気口から吸い込んだ空気を外へ排気するための排気口と、第２吸気口から空気を吸い込むとともにこの吸い込んだ空気を前記排気口へ送風する第２送風手段とを有する換気ユニットとを備えた換気装置であって、
前記換気ユニットと循環ユニットとを互いに着脱可能に設け、
前記第２吸気口を前記換気ユニットまたは循環ユニットに着脱可能に設けたことを特徴とする。
【００１２】
請求項５の発明は、前記吹出口が下方に向けられるとともに長孔状に形成され、
前記第１送風手段から送風される空気を前記吹出口へ案内する案内風路にほぼ水平方向に延びる水平風路部を設け、この水平風路部と直交するように前記加熱手段を設けたことを特徴とする。
【００１３】
請求項６の発明は、前記換気ユニットに循環ユニットがまたは循環ユニットに換気ユニットが吊り下げ可能なフック部を設けたことを特徴とする。
【００１４】
請求項７の発明は、前記換気ユニットは、複数の室内の空気を吸い込んで排気を行う多室換気用であることを特徴とする。
【００１５】
【発明の実施の形態】
以下、この発明に係わる換気装置の一つである浴室用換気装置の実施形態を図面に基づいて説明する。
［第１実施形態］
図１ないし図３に示す浴室用換気装置１０は、換気ユニット１１と、この換気ユニット１１の換気ユニットケース（本体ケース）１２内に着脱可能に装着された循環ユニット２０とを備えている。
【００１６】
換気ユニット１１は、図４ないし図６に示すように、下面が開口された筺体状の換気ユニットケース１２と、この換気ユニットケース１２の天板１３に取り付けられた換気風路ケース１４と、この換気風路ケース１４内に回転自在に配置された換気用のシロッコファン（換気用ファン）１５と、天板１３に取り付けられた回路基板１６と、その天板１３に取り付けられるとともにシロッコファン１５を回転させるモータＭ１とを有している。換気ユニットケース１２の左側（図４において）の側壁部１２Ａには排気口１７が形成されている。
【００１７】
換気風路ケース１４は、シロッコファン１５を回転自在に配置する筒部１４Ａと、この筒部１４Ａから換気ユニットケース１２の排気口１７まで延びた案内風路部１４Ｂとを有している。筒部１４Ａの下面には、図５に示すように吸気口１８が形成され、シロッコファン１５の回転によりその吸気口１８から空気を吸い込むようになっている。
【００１８】
また、排気口１７には図示しない排気ダクトが接続される接続ダクト１７Ｄ（図１参照）が取り付けられ、吸気口１８から吸い込んだ空気は案内風路部１４Ｂを経て接続ダクト１７Ｄおよび排気ダクトを介して外へ排気されるようになっている。
【００１９】
換気ユニットケース１２の下部には天井壁に取り付けるフランジ１２Ｆが形成され、このフランジ１２Ｆに化粧板１９（図１参照）が取り付けられるようになっている。この化粧板１９により換気ユニットケース１２の下部開口１２Ｂが覆われる。
【００２０】
循環ユニット２０は、図７ないし図９に示すように、換気ユニットケース１２内に嵌入される循環ユニットケース（本体ケース）２１と、天井壁部２２に一体に形成された循環風路ケース２３と、この循環風路ケース２３内に回転自在に配置された循環用のシロッコファン（循環用ファン）２４と、このシロッコファン２４を回転させるモータＭ２と、循環風路ケース２３に隣接した位置に形成されるとともに上下方向に貫通した浴室側吸込風路３０等とを備えている。モータＭ２は循環風路ケース２３の天井壁部２２に取り付けられている。そして、モータＭ１の出力軸Ｍ１ａおよびモータＭ２の出力軸Ｍ２ａは天井面に対して垂直となっている。
【００２１】
図７および図８に示すように、循環ユニットケース２１には吹出口２１Ａが形成され、この吹出口２１Ａが循環風路ケース２３の案内風路部２３Ａに接続されている。２３Ｂはシロッコファン２４を回転自在に配置した筒部であり、この筒部２３Ｂの底面には吸気口２３Ｃが形成され、シロッコファン２４の回転により循環風路ケース２３の吸気口２３Ｃから空気が吸い込まれて案内風路部２３Ａを介して吹出口２１Ａから吹き出されるようになっている。
【００２２】
吹出口２１Ａにはヒータ２６が取り付けられており、吹出口２１Ａから吹き出される空気が暖められるようになっている。ヒータ２６はＰＴＣヒータであるが、他のヒータであってもよい。
【００２３】
浴室側吸込風路３０内には、図７に示すようにシャッタ３１が回動可能に設けられている。シャッタ３１の軸３２の一端は浴室側吸込風路３０の壁を貫通して循環ユニットケース２１に形成された電動室２８に進入している。
【００２４】
シャッタ３１の軸３２の一端にはギア３３が噛合され、このギア３３にはギア３４が噛合され、このギア３４は電動室２８に設けたパルスモータ３５の駆動軸３５ａに装着されている。そして、パルスモータ３５の駆動によりシャッタ３１が回動するようになっており、この回動によって浴室側吸込風路３０の開口３０Ａの開閉およびその開閉度の調整が可能となっている。
［浴室用換気装置の取り付け方］
次に、浴室用換気装置１０の取り付け方について説明する。
【００２５】
先ず、換気ユニットケース１２内に循環ユニット２０の循環ユニットケース２１を挿入して図２および図３に示すように換気ユニットケース１２内に組み付ける。この組み付けは、換気ユニットケース１２に循環ユニットケース２１をネジ止めするだけであり、このネジを外すことにより循環ユニットケース２１を換気ユニットケース１２から取り外すことができるようになっている。
【００２６】
そして、換気ユニットケース１２内に循環ユニット２０が組み付けられると、その循環ユニット２０を組み付けた換気ユニット１１を図５に示すように浴室の天井４０に取り付ける。この取り付けは従来の換気装置の取り付けと同様にして行う。次に、化粧板１９を従来と同様にして換気ユニット１１のフランジ１２Ｆにネジ（図示せず）により取り付ける。
【００２７】
ところで、換気ユニットケース１２内に循環ユニット２０が組み付けられると、図２および図３に示すように、換気ユニットケース１２の換気風路ケース１４の下面と、循環ユニットケース２１の天井壁部２２との間に所定の大きさの間隙Ｓが形成されるようになっている。この間隙Ｓを介して循環ユニット２０の浴室側吸込風路３０と換気ユニット１１の換気風路ケース１４の吸気口１８とが連通するようになっている。
【００２８】
また、図２に示すように、換気ユニット１１のモータＭ１と循環ユニット２０のモータＭ２とが左右方向（図２において）に対してＬだけオフセットするように設定されている。すなわち、モータＭ１，Ｍ２が上下方向に対して重なっていないことにより換気ユニット１１の換気ユニットケース１２の高さを低くすることができる。
［動　作］
次に、上記のように構成される浴室換気装置１０の動作について説明する。
【００２９】
図示しない操作部の操作により換気モードが設定されると、循環ユニット２０のパルスモータ３５が駆動されてシャッタ３１が回動し、浴室側吸込風路３０の開口３０Ａが開成される。シャッタ３１は、適正な換気量となるように予め設定された位置へ回動される。
【００３０】
他方、換気ユニット１１のモータＭ１が駆動されてシロッコファン１５が回転し、このシロッコファン１５の回転により浴室の空気が換気風路用ダクト３０の開口３０Ａから吸い込まれ、この開口３０Ａに吸い込まれた空気は浴室側吸込風路３０および換気風路ケース１４と循環ユニットケース２１の天井壁部２２との間の間隙Ｓを介して換気風路ケース１４の吸気口１８に吸い込まれていく。
【００３１】
そして、吸気口１８に吸い込まれた空気は換気ユニットケース１２の排気口１７から図示しない接続ダクトおよび排気ダクトを介して外へ排気されていき、浴室の換気が行われる。
【００３２】
暖房モードが設定されると、換気ユニット１１のシロッコファン１５の回転は停止されるとともにシャッタ３１が閉成され、換気風路用ダクト３０の開口３０Ａはシャッタ３１により閉塞される。そして、循環ユニット２０のシロッコファン２６が回転していくとともにヒータ２６が通電される。
【００３３】
シロッコファン２６の回転により、浴室内の空気が循環ユニット２０の吸気口２３Ｂから吸い込まれて吹出口２３Ｂから浴室へ吹き出していく。この吹出口２３Ｂから吹き出される空気はヒータ２６によって暖められていくので、浴室の暖房が行われる。
【００３４】
乾燥モードが設定されると、換気ユニット１１と循環ユニット２０とが動作する。すなわち、浴室の換気により湿気が外へ排出されるとともに、循環ユニット２０内のシロッコファン２４とＰＴＣヒータ２６の動作により浴室の暖房が行われて浴室が乾燥されていく。この乾燥により、浴室で衣類などを乾燥させることができることになる。
【００３５】
ところで、換気ユニットケース１２から循環ユニット２０を取り外すことができるので、換気ユニット１１のメンテナンスが大変し易いものとなる。また、換気ユニットケース１２から循環ユニット２０を取り外すことにより、その循環ユニット２０のメンテナンスも非常に行い易いものとなる。
【００３６】
また、換気ユニット１１の換気ユニットケース１２に循環ユニットケース２１を着脱可能に挿入できるようにしたものであるから、換気ユニットケース１２と循環ユニットケース２１の大きさを共通にしておけば、容量が異なるシロッコファン１５を取り付けた換気ユニットケース１２のいずれにも、容量の異なるシロッコファン２４を取り付けた循環ユニット２０のいずれも取り付けることが可能となり、このため部品の共通化を図ることができ、しかも、数種類の換気ユニット１１と数種類の循環ユニット２０との組み合わせにより、多種類の型に応じた換気装置を製造することができる。
［第２実施形態］
図１０および図１１は第２実施形態の浴室換気装置１００を示したものである。この浴室換気装置１００は、洗面所や脱衣所やトイレ等の換気を行えるようにした多室換気用の装置である。
【００３７】
図１０において、１０１〜１０２は換気ユニット１１０の換気ユニットケース１２の側壁１２Ｄ１，１２Ｄ２の吸気口１５１，１５２に設けた吸込用の接続ダクトであり、これら接続ダクト１０１，１０２は図１１に示すように換気風路ケース１４と循環ユニットケース２１の天井壁部２２との間の間隙Ｓを介して換気風路ケース１４の吸気口１８に連通している。また、側壁１２Ｄ３に設けた吸気口１５３もその間隙Ｓを介して換気風路ケース１４の吸気口１８に連通している。
【００３８】
接続ダクト１０１はダクト１１１を介して例えば脱衣所に連通され、接続ダクト１０２はダクト１１２を介して例えばトイレに連通されている。側壁１２Ｄ３の吸気口１５３は使用しないので接続閉塞板１０５により閉塞されているが、使用する場合には鎖線で示すように接続ダクト１０３を設ける。
【００３９】
そして、換気ユニット１１のシロッコファン１５の回転により、脱衣所やトイレの空気がダクト１１１，１１２および接続ダクト１０１，１０２を介して換気風路ケース１４の吸気口１８に吸い込まれて、換気ユニットケース１２の排気口１７から排気ダクト１１３を介して排気され、脱衣所やトイレの換気が行われる。
【００４０】
ところで、浴室と脱衣所，トイレ，洗面所の配置は住宅によって様々であり、その吸込方向を特定することが難しく、施工現場においてその吸込方向を特定して使用する接続ダクト１０１〜１０３を選択し、この選択した接続ダクト１０１〜１０３にダクトを接続するが、図１２に示すように、循環ファンと換気ファンとを横に並べて配置するようにしたユニットから構成すると、排気口を除く２方向にしか吸込方向を選ぶことができず、選ぶ方向に換気箇所（例えばトイレ）がある場合、ダクトを迂回させてはわせなければならず、そのダクトの迂回作業が面倒であり、しかも天井裏の狭い空間にそのダクトを迂回させることが困難となる場合がある。
【００４１】
この第２実施形態の浴室換気装置１００によれば、換気ユニット１１０と循環ユニット２０を上下に配置したものであるから、接続ダクト１０１〜１０３をそれぞれ異なる３方向に設けることができ、このため、その３方向のいずれかに特定する吸込方向があれば、ダクトを迂回せずに選択した接続ダクト１０１〜１０３に接続することができる。すなわち、迂回せずに３方向のいずれにもダクトを配置することができ、そのダクトの配置方向の自由度が向上することになる。
【００４２】
さらに、換気ユニット１１０の排気口側面の壁１２Ａにも吸気口を設け、この吸気口に接続ダクト（図１０において鎖線で示す）を設けることができ、この場合も含めて換気ユニット１１０のいずれの側面からも吸込可能となり、ダクトを迂回せずに配置することができる。
【００４３】
この第２実施形態では、接続ダクト１０１，１０２だけを使用しているが、接続ダクト１０３を他の室内の換気に使用してもよい。
【００４４】
上記いずれの実施形態でも、換気ユニットケース１２に循環ユニットケース２１を着脱可能に挿入できるようにしているが、この逆であってもよい。
【００４５】
また、第１，第２実施形態では、浴室に適用した換気装置について説明したが、これに限らず、他の部屋にも適用できる。
［第３実施形態］
図１２ないし図１５に示す多室用の換気装置２００は、換気ユニット２１１と、この換気ユニット２１１の換気ユニットケース（本体ケース）２１２内に着脱可能に装着された循環ユニット２２０とを備えている。
【００４６】
換気ユニット２１１は、図１６ないし図１８に示すように、下面が開口された筺体状の換気ユニットケース２１２と、この換気ユニットケース２１２の天板２１３に取り付けられた換気風路ケース２１４と、この換気風路ケース２１４内に回転自在に配置された換気用のシロッコファン（第２送風手段：送風手段）２１５と、天板２１３に取り付けられるとともにシロッコファン２１５を回転させるモータＭ３と、換気ユニットケース２１２の開口の一角（図１６において左上部）に取り付けられるとともに浴室の空気を吸気する吸気口（第２吸気口）２３０を設けた吸気口形成板（吸気口ユニット）３００（図１９参照）とを有している。３１５は換気ユニットケース２１２に設けた電装部である。吸気口形成板３００は換気ユニットケース２１２に着脱可能に取り付けられている。この吸気口形成板３００を取り外すだけで、換気ユニット２１１や後述する循環ユニットを外さなくても点検と修理を行うことが可能となり、その点検と修理がし易いものとなる。
【００４７】
吸気口形成板３００の吸気口２３０にはシャッタ２４０が取り付けられ、このシャッタ２４０はパルスモータＭＳ１（図２６参照）によってその開度が調整されるようになっている。このシャッタ２４０の開度の調整により浴室の空気の吸込量が調整可能となっている。
【００４８】
また、換気ユニットケース２１２の左側（図１３および図１６において）の側壁部２１２Ａには排気口２１７が形成され、この排気口２１７には図１２に示すようにダクトジョイント３１７が取り付けられており、このダクトジョイント３１７には図示しないダクトが接続され、このダクトおよびダクトジョイント３１７を介して排気口２１７が外気に連通されている。
【００４９】
換気ユニットケース２１２の側壁部２１２Ｂ〜２１２Ｄには、図１２に示すように開口３１２Ｂ〜３１２Ｄが形成され、開口３１２Ｂ，３１２Ｃにはシャッタボックス３１３Ｂ，３１３Ｃを介してダクトジョイント３１４Ｂ，３１４Ｃが設けられている。シャッタボックス３１３Ｂ，３１３Ｃには図示しないシャッタが設けられており、このシャッタはパルスモータＭＳ２，ＭＳ３（図２６参照）によってその開口３１２Ｂ，３１２Ｃの開度が調整されるようになっている。なお、シャッタボックス３１３Ｂ，３１３Ｃ，ダクトジョイント３１４Ｂ，３１４Ｃ、排気口２１７，および開口３１２Ｂ，３１２Ｃは図１４，１５，１７，１８において省略してある。
【００５０】
各ダクトジョイント３１４Ｂ，３１４Ｃには図示しないダクトが接続され、このダクトおよびダクトジョイント３１４Ｂ，３１４Ｃを介して例えばトイレ，脱衣室が開口３１２Ｂ，３１２Ｃに連通している。開口３１２Ｄは図示しない蓋板により閉塞されている。ここでは、開口３１２Ｄを閉塞し、開口３１２Ｂ，３１２Ｃにダクトジョイント３１４Ｂ，３１４Ｃを設けているが、部屋の間取りに応じてダクトジョイントを取り付ける開口３１２Ｂ〜３１２Ｄや閉塞する開口３１２Ｂ〜３１２Ｄを選択するものである。
【００５１】
換気ユニットケース２１２の下部にはフランジ部３１６Ａ〜３１６Ｄが設けられており、フランジ部３１６Ｂには、図２０に示すように下方へ突出するとともに外方に向かって曲がった一対のフック部３１７，３１７（図１６参照）が形成されている。同様にしてフランジ部３１６Ｄには一対のフック部３１８，３１８が形成されている。また、換気ユニットケース２１２のフランジ部３１６Ａ〜３１６Ｄにはフロントパネル２１９（図１２参照）が取り付けられるようになっている。
【００５２】
換気風路ケース２１４は、シロッコファン２１５を回転自在に配置する筒部２１４Ａと、この筒部２１４Ａから換気ユニットケース２１２の排気口２１７まで延びた案内風路部２１４Ｂとを有している。筒部２１４Ａの下面には、図１６ないし図１８に示すように吸気口２１８が形成され、シロッコファン２１５の回転によりその吸気口２１８から空気を吸い込むようになっている。
【００５３】
また、筒部２１４Ａの吸気口２１８と後述する循環ユニットケース２２１の天板２２２との間には所定の大きさの間隙Ｓ１が形成されており、この間隙Ｓ１を介して換気ユニットケース２１２の開口３１２Ｂ〜３１２Ｄと筒部２１４Ａの吸気口２１８とが連通している。また、吸気口形成板３００の吸気口２３０と筒部２１４Ａの吸気口２１８とがその間隙Ｓ１を介して連通している。
【００５４】
循環ユニット２２０は、図２１ないし図２３に示すように、換気ユニットケース２１２内に挿入されるとともに下面が開口した循環ユニットケース（本体ケース）２２１と、循環ユニットケース２２１の天板２２２に一体に形成された温風風路ケース２２３と、この温風風路ケース２２３内に回転自在に配置された温風用のシロッコファン（第１送風手段：送風手段）２２４と、このシロッコファン２２４を回転させるモータＭ４と、シロッコファン２２４から送風される空気を加熱するＰＴＣヒータ（加熱手段）２２６等とを備えている。ここでは、ＰＴＣヒータ２２６を用いているが他のヒータであってもよい。
【００５５】
また、換気ユニット２１１のモータＭ３と循環ユニット２２０のモータＭ４とが左右方向（図１４において）に対してＬ１だけオフセットするように設定されており、換気ユニットケース２１２の高さは低く設定されている。
【００５６】
循環ユニットケース２２１には、図２１に示すように左右方向に延びるとともに下方に向いた長方形の吹出口２２１Ａが形成されている。また、循環ユニットケース２１２の下部にはフランジ部４００Ａ〜４００Ｅが形成されており、フランジ部４００Ａには、図２１および図２５に示すように一対の係止孔４０１が形成されており、この係止孔４０１には換気ユニットケース２１２のフック部３１７またはフック部３１８が係合することができるようになっている。同様に、フランジ部４００Ｃにも一対の係止孔４０２が形成されている。
【００５７】
温風風路ケース２２３は、シロッコファン２２４を回転自在に配置する筒部２２３Ａと、図２１および図２４に示すように、その筒部２２３Ａから水平方向に且つ吹出口２２１Ａの長手方向に対して傾斜する方向に延びた水平案内部２２３Ｂと、この水平案内部２２３Ｂの終端から下方に曲がって吹出口２２１Ａまで延びた下方風路部２２３Ｃとを有している。
【００５８】
筒部２２３Ａの下面には、図２１ないし図２３に示すように吸気口（第１吸気口）２２３Ｄが形成され、シロッコファン２２４の回転によりその吸気口２２３Ｄから空気を吸い込むようになっている。
【００５９】
水平案内部２２３Ｂの終端近傍にはＰＴＣヒータ２２６が配置され、このＰＴＣヒータ２２６は吹出口２２１Ａの長手方向と平行に延びている。
【００６０】
図２６は換気装置２００の制御系の構成を示したブロック図である。図２６において、５００は図示しない各種の操作スイッチを有する操作部であり、この操作部５００は例えば脱衣室や洗面所などに設けられている。５０１は操作部５００の操作に基づいてモータＭ３，Ｍ４やパルスモータＭＳ１〜ＭＳ３やＰＴＣヒータ２２６を制御するＣＰＵ等から構成された制御装置である。
【００６１】
この制御装置５０１によって各モータＭ３，Ｍ４，ＭＳ１〜ＭＳ３やＰＴＣヒータ２２６を制御することにより、浴室内やトイレや脱衣室の換気を行ったり、浴室内の暖房や乾燥を行ったりするものである。
【００６２】
この第３実施形態の換気装置２００によれば、第１，第２実施形態と同様な効果を得ることができる他、吸気口形成板３００が換気ユニット２１１に設けられていることにより、循環ユニット２２０だけを他の部屋の壁等に取り付けることができ、そのまま暖房装置として使用することも可能である。この場合、温風風路ケース２２３のフランジ部４００Ａ〜４００Ｅには循環ユニット２２０用の図示しないフロントパネルを装着する。
【００６３】
このように、吸気口形成板３００が換気ユニット２１１に設けられているので、換気ユニット２１１と循環ユニット２２０とを別々にしてもそれぞれ別個に使用することができるので、商品をシリーズ展開するときに、新規に設計することなくユニットをそのまま使用することができる。すなわち、循環ユニット２２０を暖房装置として使用する場合には、温風風路ケース２２３のフランジ部４００Ａ〜４００Ｅに取り付けるフロントパネルのみを作成すればよいので、すばやく商品化することができる。
【００６４】
また、それぞれ送風容量の異なる複数の換気ユニット２１１と、それぞれ送風容量の異なる複数の循環ユニット２２０との組み合わせ方により、床面積に応じた商品展開をすばやく行うことができる。
【００６５】
換気装置２００の制御系や換気ユニット２１１のメンテナンスを行う際には、循環ユニット２２０を換気ユニットケース２１２から取り外して、図２７および図２８に示すように、循環ユニットケース２１２のフランジ部４００Ａの係止孔４０１，４０１またはフランジ部４００Ｃの係止孔４０２，４０２に換気ユニットケース２１２のフック部３１７，３１７またはフック部３１８，３１８に係合させて、循環ユニット２２０を換気ユニットケース２１２に吊るすことができるので、循環ユニット２２０を換気ユニット２１１から外してわざわざ床面等に置きにいく手間を省くことができる。
【００６６】
また、メンテナンス終了後に循環ユニット２２０を換気ユニットケース２１２に装着するが、循環ユニット２２０が換気ユニットケース２１２に吊るされていることにより、取り外した循環ユニット２２０を取りにいく手間も省くことができることになる。すなわち、そのメンテナンスを行う際の作業が簡単なものとなり、そのメンテナンスの作業効率は向上することになる。
【００６７】
さらに、水平案内部２２３ＢにＰＴＣヒータ２２６が配置されているので、ＰＴＣヒータ２２６全体にシロッコファン２２４から送風される空気をほぼ均一に当てることができ、ＰＴＣヒータ２２６の各部位の温度をほぼ均一にすることができる。
【００６８】
ちなみに、ＰＴＣヒータ２２６を図２４の鎖線で示す位置に配置すると、シロッコファン２２４から送風される空気は下方風路部２２３Ｃの外側の壁に沿って流れることにより、ＰＴＣヒータ２２６の左端部に流れてくる風は少ない。このため、ＰＴＣヒータ２２６の温度は各部位によって大きく異なってしまい、ＰＴＣヒータ２２６による空気の加熱効率が低下することになる。
【００６９】
なお、図２１において、紙面に対して直交する方向の部位、すなわち、高さ方向に対しての各部位の温度差はほとんど生じないので、図２４に示す鎖線位置に配置するより実線で示す位置に配置した方がＰＴＣヒータ２２６による空気の加熱効率は向上することになる。
【００７０】
すなわち、吹出口が下方に向けられるとともに長孔状に形成され、
第１送風手段（シロッコファン２２４）から送風される空気を吹出口２２１Ａへ案内する案内風路は、ほぼ水平方向に延びる水平風路部（水平案内部２２３Ｂ）と、この水平風路部によって水平方向に案内されてきた空気の流れ方向を下方に変えて吹出口へ案内する下方風路部２２３Ｃとを有し、吹出口２２１Ａの長手方向と平行に且つ水平風路部に加熱手段（ＰＴＣヒータ２２６）を配置したものであるから、加熱手段による空気の加熱効率は向上することになる。
【００７１】
この第３実施形態では、換気ユニットケース２１２に循環ユニットケース２２１を着脱可能に挿入できるようにしているが、この逆であってもよい。また、浴室に適用した換気装置２００について説明したが、これに限らず、他の部屋にも適用してもよい。
【００７２】
【発明の効果】
以上説明したように、この発明によれば、部品の共通化を図ることができ、しかも、数種類の換気ユニットと数種類の循環ユニットとの組み合わせにより、多種類の型に応じた換気装置を製造することができる。
【図面の簡単な説明】
【図１】この発明に係る換気装置の外観を示した斜視図である。
【図２】図１に示す換気装置の構成を示した縦断面図である。
【図３】図１に示す換気装置の構成を示した横断面図である。
【図４】換気ユニットの構成を示した平断面図である。
【図５】換気ユニットの構成を示した縦断面図である。
【図６】換気ユニットの構成を示した横断面図である。
【図７】循環ユニットの構成を示した平断面図である。
【図８】循環ユニットの構成を示した縦断面図である。
【図９】循環ユニットの構成を示した横断面図である。
【図１０】第２実施形態の換気装置の換気ユニットの構成を示した説明図である。
【図１１】第２実施形態の換気装置の構成を示した断面図である。
【図１２】第３実施形態の換気装置の外観を示した斜視図である。
【図１３】図１２に示す換気装置のフロントパネルを外した底面図である。
【図１４】図１２の換気装置の構成を示した縦断面図である。
【図１５】図１２の換気装置の構成を示した横断面図である。
【図１６】第３実施形態の換気ユニットを示した底面図である。
【図１７】図１６の換気ユニットの構成を示した縦断面図である。
【図１８】図１６の換気ユニットの構成を示した横断面図である。
【図１９】図１６の換気ユニットケースに取り付けられる吸気口形成板を示した平面図である。
【図２０】換気ユニットケースのフランジのフックを示した部分拡大図である。
【図２１】第３実施形態の循環ユニットを示した底面図である。
【図２２】図２１の循環ユニットの左側面図である。
【図２３】図２１の循環ユニットの右側面図である。
【図２４】循環ユニットの温風風路ケースを示した説明図である。
【図２５】循環ユニットケースのフランジの係合孔を示した部分拡大図である。
【図２６】第３実施形態の換気装置の制御系の構成を示したブロック図である。
【図２７】換気ユニットケースに循環ユニットを吊るした状態を示した説明図である。
【図２８】図２７の右側面図である。
【図２９】従来の浴室換気装置を示した斜視図である。
【図３０】従来の浴室換気装置の構成を示した縦断面図である。
【図３１】図２９の浴室換気装置の底面図である。
【符号の説明】
１０　　　　　　　　換気装置
１１　　　　　　　　換気ユニット
１２　　　　　　　　換気ユニットケース
２０　　　　　　　　循環ユニット
２１　　　　　　　　本体ケース
【図１】
2004125373.tif 000003
【図２】
2004125373.tif 000004
【図３】
2004125373.tif 000005
【図４】
2004125373.tif 000006
【図５】
2004125373.tif 000007
【図６】
2004125373.tif 000008
【図７】
2004125373.tif 000009
【図８】
2004125373.tif 000010
【図９】
2004125373.tif 000011
【図１０】
2004125373.tif 000012
【図１１】
2004125373.tif 000013
【図１２】
2004125373.tif 000014
【図１３】
2004125373.tif 000015
【図１４】
2004125373.tif 000016
【図１５】
2004125373.tif 000017
【図１６】
2004125373.tif 000018
【図１７】
2004125373.tif 000019
【図１８】
2004125373.tif 000020
【図１９】
2004125373.tif 000021
【図２０】
2004125373.tif 000022
【図２１】
2004125373.tif 000023
【図２２】
2004125373.tif 000024
【図２３】
2004125373.tif 000025
【図２４】
2004125373.tif 000026
【図２５】
2004125373.tif 000027
【図２６】
2004125373.tif 000028
【図２７】
2004125373.tif 000029
【図２８】
2004125373.tif 000030
【図２９】
2004125373.tif 000031
【図３０】
2004125373.tif 000032
【図３１】
2004125373.tif 000033